(57)【要約】【課題】手でボタンを押し続けないでも連続噴射させることができ、しかも、噴射と停止を何回も繰り返す場合にも簡単な操作でそれを行うことのできる、エアゾール容器のノック式キャップを提供する。【解決手段】ステム(121)の噴射位置への押し下げにより内容物を噴射する噴射バルブ(120)を備えたエアゾール容器(100)のキャップであって、前記エアゾール容器の上部に嵌着されるキャップ(1)に押圧ボタンを含むノック機構(200)を設け、前記押圧ボタンの１回目の押し下げ及び解放操作によりステムを噴射位置にロックし、押圧ボタンの２回目の押し下げ及び解放操作により前記ロックを解除するエアゾール容器のノック式キャップ。【選択図】図１
2005152789.tif 000002
【特許請求の範囲】
【請求項１】
ステムの噴射位置への押し下げにより内容物を噴射する噴射バルブを備えたエアゾール容器のキャップであって、
前記エアゾール容器の上部に嵌着されるキャップに押圧ボタンを含むノック機構を設け、前記押圧ボタンの１回目の押し下げ及び解放操作によりステムを噴射位置にロックし、押圧ボタンの２回目の押し下げ及び解放操作により前記ロックを解除することを特徴とするエアゾール容器のノック式キャップ。
【請求項２】
前記ノック機構が、
前記押圧ボタンの押し下げにより初期レベルより押し下げられると共に、押し下げられた状態で、押し下げ方向と交差する方向の第１の位置と第２の位置とに交互に移動可能な移動子と、
前記移動子を初期レベルに向けて付勢するリターンスプリングと、
１回目のボタンの押し下げにより前記移動子を前記第１の位置に移動させ、２回目のボタンの押し下げにより前記移動子を前記第２の位置に移動させる駆動手段と、
前記移動子が前記ボタンの押し下げの解放に伴って前記リターンスプリングの力で前記第１の位置から初期レベルに復帰しようとするとき、前記移動子を、前記ステムを噴射位置に保持する下方位置に係合して初期レベルへの復帰を阻止し、前記移動子が前記リターンスプリングの力により前記第２の位置から初期レベルに復帰しようとするとき、前記移動子の初期レベルへの復帰を許容する係合手段と、
で構成され、
前記移動子が、前記ステムに連結されていることを特徴とする請求項１に記載のエアゾール容器のノック式キャップ。
【請求項３】
前記リターンスプリングが、前記噴射バルブ内に装備されたバルブスプリングとは別に設けられ、前記バルブスプリングよりもバネ力の強いものであることを特徴とする請求項２に記載のエアゾール容器のノック式キャップ。
【発明の詳細な説明】
【技術分野】
【０００１】
本発明は、ボタンの押圧によって連続噴射及びその停止が可能なエアゾール容器のノック式キャップに関する。
【背景技術】
【０００２】
一般に、この種のキャップは、キャップ本体に設けられたボタンを押すと、エアゾール容器の噴射バルブが開となって、ステムより容器内の薬剤が空中へ噴霧され、ボタンを離すと、噴射バルブが閉となって、薬剤の噴霧が停止されるように構成されている。しかし、この構成では、ボタンを押し続けないと、薬剤を連続的に噴霧できない。
【０００３】
そこで、手でボタンを押し続けないでも薬剤を連続噴射できるように、キャップ本体に、ボタンを押し下げ位置にロックする手段を設け、薬剤を噴霧すべくボタンをある位置まで押圧すると、ボタンの一部が弾性変形してロック位置まで押し下げられるようにしたものがある（例えば、特許文献１参照）。
また、ステムを噴射位置に保持するために、ボタンを押し下げ位置にネジで止められるようにしておき、連続噴射する場合はボタンをネジで押し下げ位置に止め、噴射を中断する場合はネジを外すようにしたものがある（特許文献２）。
【０００４】
【特許文献１】特開２００１ー５５２８５号公報
【特許文献２】特開２００２−８００７９号公報
【発明の開示】
【発明が解決しようとする課題】
【０００５】
しかし、特許文献１に記載の技術は、全量連続噴射を目的とするものであるから、いったんボタンをロック位置まで押し下げると元の位置に簡単には戻せず、従って、必要に応じて噴射と停止を何回も繰り返すような使い方には向かない。
また、特許文献２に記載の技術も、連続噴射の場合にはネジを締めてボタンを押し下げ位置に保持し、噴射を中断する場合にはネジを外してボタンを元の位置に戻す必要があるので、噴射と停止を何回も繰り返すような使い方をする場合には、操作性が悪い。
【０００６】
本発明は、上記事情を考慮し、手でボタンを押し続けないでも連続噴射させることができ、しかも、噴射と停止を何回も繰り返す場合にも簡単な操作でそれを行うことのできる、エアゾール容器のノック式キャップを提供することを目的とする。
【課題を解決するための手段】
【０００７】
前記課題を解決するために、請求項１に記載の発明では、ステムの噴射位置への押し下げにより内容物を噴射する噴射バルブを備えたエアゾール容器のキャップであって、
前記エアゾール容器の上部に嵌着されるキャップに押圧ボタンを含むノック機構を設け、前記押圧ボタンの１回目の押し下げ及び解放操作によりステムを噴射位置にロックし、押圧ボタンの２回目の押し下げ及び解放操作により前記ロックを解除することを特徴としている。
【０００８】
また、請求項２に記載の発明では、前記ノック機構が、前記押圧ボタンの押し下げにより初期レベルより押し下げられると共に、押し下げられた状態で、押し下げ方向と交差する方向の第１の位置と第２の位置とに交互に移動可能な移動子と、
前記移動子を初期レベルに向けて付勢するリターンスプリングと、
１回目のボタンの押し下げにより前記移動子を前記第１の位置に移動させ、２回目のボタンの押し下げにより前記移動子を前記第２の位置に移動させる駆動手段と、
前記移動子が前記ボタンの押し下げの解放に伴って前記リターンスプリングの力で前記第１の位置から初期レベルに復帰しようとするとき、前記移動子を、前記ステムを噴射位置に保持する下方位置に係合して初期レベルへの復帰を阻止し、前記移動子が前記リターンスプリングの力により前記第２の位置から初期レベルに復帰しようとするとき、前記移動子の初期レベルへの復帰を許容する係合手段とで構成され、
前記移動子が、前記ステムに連結されていることを特徴としている。
【０００９】
また、請求項３に記載の発明では、前記リターンスプリングが、前記噴射バルブ内に装備されたバルブスプリングとは別に設けられ、前記バルブスプリングよりもバネ力の強いものであることを特徴としている。
【発明の効果】
【００１０】
請求項１の発明によれば、ステムを押圧する押圧ボタンの１回目の押し下げ及び解放操作によりステムを噴射位置にロックし、押圧ボタンの２回目の押し下げ及び解放操作により前記ロックを解除するノック機構を具備したので、単純に押圧ボタンを押すだけで、噴射と停止を何回も繰り返すことができ、操作が容易である。
【００１１】
請求項２の発明によれば、移動子とリターンスプリングと駆動手段と係合手段とによりノック機構を機械的に構成したので、構造が簡単であり、低コストに製品化し得る。
【００１２】
請求項３の発明によれば、リターンスプリングを噴射バルブ内のバルブスプリングとは別に設けているので、ボタンの押し下げストロークを大きくとることができ、良好な操作性を確保することができる。
【発明を実施するための最良の形態】
【００１３】
以下、本発明の実施形態を図面に基づいて説明する。
図１は本発明のノック式キャップ１を、エアゾール容器１００の上部に嵌着した状態を示す断面図である。
このエアゾール容器１００は、ステム１２１の押し下げにより、容器本体１０１内に封入した内容物（薬剤及びガス）を外部に噴射する噴射バルブ１２０を上部に備えており、キャップ１は、その噴射バルブ１２０のステム１２１の上に被さるように、エアゾール容器１００のマウンテンカップ１０２に嵌着されている。
図１において、ハッチングされている部分が本発明のノック式キャップ部分であり、
その他の部分は従来と同様のエアゾール装置である。
【００１４】
図２（ａ）はキャップ１の分解側断面図、（ｂ）はキャップ１を構成する部品のカム部分のみを抜き出して示す側面図である。
この実施形態のノック式キャップ１は、キャップ本体１０と、キャップ本体１０に装着されたボタン２０と、ボタン２０の下側に配置された回転子（移動子に相当）３０と、回転子３０の下側でステム１２１の上端に嵌合される内ボタン４０と、内ボタン４０と回転子３０の間に配置されたリターンスプリング５０とから構成されている。
これらの構成要素のうち、キャップ本体１０、ボタン２０、回転子３０、リターンスプリング５０は、ボタン２０の１回目の押し下げ及び解放操作によりステム１２１を噴射位置にロックする。
そして、ボタン２０の２回目の押し下げ及び解放操作により、前記ロックを解除するノック機構２００を構成している。
【００１５】
キャップ本体１０は、全体がエアゾール容器１００の上端を覆うような形状のもので、エアゾール容器１００のマウンテンカップ１０２に下端が嵌着するカバー部１１と、カバー部１１の中央上部に位置する円筒状のボタン収容ボス部１２と、一部側面が切り欠かれた部分円筒状の内ボタン収容部１３とを備えている。
カバー部１１にも、薬液噴射のために、内ボタン収容部１３の切欠に対応した開口部１４が設けられている。
【００１６】
図３はキャップ本体１０のボタン収容ボス部１２の構成図であり、（ａ）はボタン収容ボス部１２の内周に設けられた係合カム１５部分の構成を抜き出して示す側面図、（ｂ）はボタン収容ボス部１２の側断面図、（ｃ）はボタン収容ボス部１２の下面図である。また、図４はボタン２０の構成図であり、（ａ）は上面図、（ｂ）は外観側面図、（ｃ）は側断面図、（ｄ）は下面図である。
また、図５は回転子３０の構成図であり、（ａ）は上面図、（ｂ）は側面図、（ｃ）は側断面図である。
【００１７】
図６〜図９は実施形態のキャップ１の動作状態を順を追って示す説明図であり、各図の（ａ）はエアゾール容器１００の上部及びキャップ１の構造を示す側断面図、（ｂ）はカムの噛み合い部分を抜き出して示す側面図である。
また、図１０はカムの噛み合い部分だけを抜き出して示す動作説明図で、（ａ）は待機状態、（ｂ）はボタン押し下げ状態、（ｃ）は押し下げ位置での保持状態、（ｄ）は解除のためのボタン押し下げた状態をそれぞれ示す図である。
図１０の（ａ）〜（ｄ）は、後述の図６〜図９の各図の動作状態と対応している。
【００１８】
まず、図６を用いて、このキャップ１を被せる対象のエアゾール容器１００の噴射バルブ１２０について説明する。
図６において、容器本体（缶）１０１内には、図示しない内容物として薬剤及びガスが充填されている。
容器本体１０１の上端開口部にはマウンティングカップ１０２が固定されており、マウンティングカップ１０２の中央部に噴射バルブ１２０が取り付けられている。
【００１９】
噴射バルブ１２０は、マウンティングカップ１０２の内側に固定されたバルブハウジング１２２と、マウンティングカップ１０２とバルブハウジング１２２との間に挟持されたステムラバー１２３と、ステムラバー１２３の中心孔に挿通されたステム１２１と、バルブハウジング１２２に内装されてステム１２１を上向きに付勢するバルブスプリング１２４と、バルブハウジング１２２内に設けられたスプリング受け部材１２５とを有する。
【００２０】
バルブハウジング１２２の下端には、バルブハウジング１２２の内部空間１２６に通じる流体導入口１２７が設けられ、その流体導入口１２７には、下端を薬剤中に挿入したディップチューブ（図示略）の上端が接続されている。
ステム１２１の中心部には、上端面から先止まりの導出孔１２８が穿設されており、その導出孔１２８に、ステム１２１の周面から半径方向に穿設した横孔１２９が連通している。
この横孔１２９は、ステム１２１の下端の大径部とその上側の膨らみ部との間に確保されたくびれ部１３０に開口しており、不使用時はステムラバー１２３の内周面がくびれ部１３０に密着することにより塞がれ、使用時にステム１２１の押し下げによってステムラバー１２３が変形することにより開かれて、バルブハウジング１２２の内部空間１２６と連通し、内容物を外に導き出す役目を果たす。
【００２１】
即ち、この噴射バルブ１２０は、ステム１２１をバルブスプリング１２４の力に抗して押し下げると、バルブが開となって内容物を噴射し、ステム１２１の押し下げを解放すると、バルブが閉となって内容物の噴射を停止するようになっている。
【００２２】
次にノック式キャップ１の構造について、図１〜図５を用いて詳しく述べる。
図３に示すように、キャップ本体１０のボタン収容ボス部１２は、円筒状の周壁１２ａの上端に、ボタン２０の抜け止めのための端壁１２ｂを設け、該端壁１２ｂの中央にボタン挿通孔１６を形成する。
図１に示すように、キャップ本体１０のカバー部１１をマウンテンカップ１０２に嵌着することで、ステム１２１と軸線を一致させて配される。
ボタン収容ボス部１２の周壁１２ａの内周には、上下方向に沿った縦溝１７と係合カム１５とが周方向に一定のピッチで交互に形成されている。
該係合カム１５は、周壁１２ａの内面から内方に突出した壁部により構成されており、下端縁に、ロック用の第１カム部１５ａと、それに段差を介して隣接する誘導用の第２カム部１５ｂとを有している。
第１カム部１５ａと第２カム部１５ｂの段差は、後述する回転子３０側の案内突起３５のロックするロック部１５ｄを構成している。
なお、係合カム１５の内周面には、浅い縦のスライド溝１５ｃが設けられている。
【００２３】
図１に示すように、ボタン２０は、上端が塞がった円筒キャップ状のもので、キャップ本体１０のボタン収容ボス部１２のボタン挿入孔１６にスライド自在に嵌まっている。
図４に示すように、このボタン２０の周壁２０ａの下端面には、山と谷が交互に並んだ山形のカム歯２１が周方向に一定のピッチで連続して形成されている。
また、周壁２０ａの外周面の下端部には、第１突起２２と第２突起２３とが円周方向に１８０度離間して１対ずつ設けられている。第１突起２２は、キャップ本体１０のボタン収容ボス部１２の縦溝１７内にスライド自在に係合し、第２突起２３は係合カム１５の内周面のスライド溝１５ｃ内にスライド自在に係合している。
この係合は、ボタン２０が上下する際に常に維持されているので、ボタン２０は回転しないで、上下にスライドするだけである。
これらの突起２２、２３は、ボタン挿入孔１６の径よりも大きく外側に突出しているので、ボタン２０の抜け止めの役割も果たす。
【００２４】
図５に示すように、回転子３０は、中央ボス孔３１ａを有する内筒部３１と、その外側に同心に配された外筒部３２と、内筒部３１の下端と外筒部３２を連結する端壁３３と、外筒部３２の下端外周に突設された筒状壁３４と、筒状壁３４の外周に周方向に一定ピッチで突設された案内突起３５とを有する。
筒状壁３４の上端には、ボタン２０の下端のカム歯２１と噛み合う山形のカム歯３６が形成され、案内突起３５の上端にも、カム歯３６の傾斜に合わせた斜面が設けられている。  この回転子３０の外筒部３２は、図１に示すように、ボタン２０の周壁２０ａの内周に軸方向及び周方向（押し下げ方向に交差する方向）にスライド自在に嵌まっている。
そして、初期状態においては、図６に示すように、案内突起３５がキャップ本体１０のボタン収容ボス部１２の縦溝１７に嵌まることで、軸方向にのみスライドできるようになっている。
【００２５】
図１、図２に示すように、内ボタン４０は、ステム１２１に嵌合される中央ボス部４１と、中央ボス部４１の延長上に延出するロッド部４２と、中央ボス部４１の側部に突設されたノズルハウジング部４３と、キャップ本体１０の内ボタン収容部１２に当接する当壁４４とを有する。
ノズルハウジング４３には、中央ボス部４１の内孔４４に連通する横孔４６が設けられており、その横孔４６にノズル４７が嵌合されている。
この内ボタン４０は、中央ボス部４１をステム１２１の上端に嵌合することで、ステム１２１の導出孔から出てきた薬剤を、ノズル４７から横方向に噴射することができるようになっている。
【００２６】
図１に示すように、内ボタン４０はステム１２１の上端に嵌合され、その上にリターンスプリング５０を介して回転子３０が配置されている。
回転子３０は、内筒部３１の中央ボス孔３１ａを内ボタン４０のロッド部４２に嵌合することで、内ボタン４０に対してスライド自在に組み合わさっており、ロッド部４２の外周に配したリターンスプリング５０の力で上方の初期レベルに付勢されている。
この初期レベルは、リターンスプリング５０の伸びきった位置である。なお、リターンスプリング３０の強さは、噴射バルブ１２０のバルブスプリング１２４の強さよりも強いものである。
【００２７】
次に動作を説明する。
図６は初期状態、即ち待機状態を示している。
この状態では、ボタン２０は初期レベルの位置にあり、図１０（ａ）に示すように、回転子３０の案内突起３５は、係合カム１５と係合カム１５の間の縦溝１７に嵌まっている。  この状態でボタン２０を押すと（１回目の押し下げ）、ボタン２０に押されて縦溝１７に回転規制されながら回転子３０が下がり、リターンスプリング５０を圧縮しながら内ボタン４０を下げ始め、ステム１２１が押し下げられることで、噴霧を開始する。
【００２８】
図７はボタン２０が押し下げられることで、噴射バルブ１２０が開いた状態を示している。
一定深さまでボタン２０を押し込むと、図１０（ｂ）に示すように、縦溝１７から回転子３０の案内突起３５が抜けて、ボタン２０の下端のカム歯２１と回転子３０のカム歯３６の噛み合いにより、回転子３０が一定角度回転し（押し下げ方向と交差する方向の第１の位置まで移動し）、案内突起３５が、キャップ本体１０の係合カム１５の下方に達する。  図７はその状態を示している。
【００２９】
この状態からボタン２０を離す（押し下げを解放する）と、図８、図１０（ｃ）に示すように、リターンスプリング５０により上向きに付勢された回転子３０の案内突起３５が、キャップ本体１０の係合カム１５の第１カム部１５ａに沿って摺動し、ロック部１５ｄに係合する。
従って、回転子３０は、初期レベルまで戻らずに押し下げ位置に保持され、内ボタン４０を介して噴射バルブ１２０のステム１２１も押し下げ位置に保持され、噴射状態が維持される（連続噴射）。
【００３０】
次に、噴射を停止したい場合は、図９、図１０（ｄ）に示すように、再度ボタン２０を押す（２回目の押し下げ）。
そうすると、まず案内突起３５が係合カム１５のロック部１５ｄから外れ、その段階で、ボタン２０のカム歯２１と回転子３０のカム歯３６の噛み合いにより、回転子３０が所定角度回転し（押し下げ方向と交差する方向の第２の位置まで移動し）、案内突起３５が第２カム部１５ｂの下方に達する。
この状態でボタン２０を離すと、リターンスプリング５０の力で押し上げられた回転子３０の案内突起３５が、第２カム部１５ｂに沿って摺動し、係合カム１５から外れて縦溝１７内に入る。
そして、案内突起３５が縦溝１７に入ることで、係合カム１５による下向きの押さえが取れて、それにより、回転子３０が初期レベルに戻り、同時に内ボタン４０の押さえがなくなることによりステム１２１が初期位置に戻って、噴射が停止される。
【００３１】
このように、ステム１２１を押圧するボタン２０の１回目の押し下げ及び解放操作によりステム１２１を噴射位置にロックし、ボタン２０の２回目の押し下げ及び解放操作により前記ロックを解除することができるので、単純にボタン２０を押すだけで、噴射と停止を何回も繰り返すことができ、操作が容易となる。
【００３２】
なお、この実施形態のノック式キャップ１においては、押し下げ方向と直交する面内で回転可能とされた回転子３０が移動子に対応している。
また、１回目のボタン２０の押し下げにより回転子３０を第１の位置〔図１０の（ｂ）の位置〕に回転させ、２回目のボタン２０の押し下げにより回転子３０を第２の位置〔図１０の（ｄ）の位置〕に回転させる、ボタン２０側のカム歯２１と回転子３０側のカム歯３６が駆動手段２０１に対応している。
また、回転子３０側の案内突起３５とキャップ本体１０側の係合カム１５及び縦溝１７とが、係合手段２０２に対応している。
従って、キャップ本体１０のボタン収容ボス部１２と、ボタン２０と、回転子３０と、リターンスプリング５０とにより構成されるノック機構２００の構造が簡単になり、低コストに製品化し得る利点が得られる。
【００３３】
また、回転子３０やボタン２０の初期レベルへ戻すためのリターンスプリング５０を、噴射バルブ１２０内のバルブスプリング１２４とは別に設けているので、ボタン２０の押し下げストロークを大きくとることができ、良好な操作性を確保することができる。
【００３４】
なお、ステム１２１の操作ストロークを大きくとれる場合には、バルブスプリング１２４でノック機構２００側のリターンスプリングを兼ねることも可能である。
【００３５】
また、上記実施形態では、ノック機構２００に、移動子として回転子を用いる形式を採用したが、他のタイプのノック機構を採用することが可能である。
いずれにしろ、ステム１２１を押圧するボタン２０の１回目の押し下げ及び解放操作によりステム１２１を噴射位置にロックし、ボタン２０の２回目の押し下げ及び解放操作により前記ロックを解除するノック機構を具備していさえすればよい。
【産業上の利用可能性】
【００３６】
請求項１〜３に記載のエアゾール容器のノック式キャップでは、ノック機構を具備したことによって、単純に押圧ボタンを押すだけで、噴射と停止を何回も繰り返すことができ、操作が容易であると共に、その構造も低コストで実現できるので、産業上の利用可能性は極めて大きい。
【図面の簡単な説明】
【００３７】
【図１】本発明の実施形態のボタン付きキャップ１を、エアゾール容器１００の上部に嵌着した状態を示す断面図である。
【図２】（ａ）はキャップ１の分解側断面図、（ｂ）はキャップ１を構成する部品のカム部分のみを抜き出して示す側面図である。
【図３】キャップ本体１０のボタン収容ボス部１１の構成図であり、（ａ）はボタン収容ボス部１２の内周に設けられた係合カム１５部分の構成を抜き出して示す側面図、（ｂ）はボタン収容ボス部１２の側断面図、（ｃ）はボタン収容ボス部１２の下面図である。
【図４】ボタン２０の構成図であり、（ａ）は上面図、（ｂ）は外観側面図、（ｃ）は側断面図、（ｄ）は下面図である。
【図５】回転子３０の構成図であり、（ａ）は上面図、（ｂ）は側面図、（ｃ）は側断面図である。
【図６】実施形態のキャップ１の動作状態を順を追って示す説明図であり、（ａ）は待機状態のときのエアゾール容器１００の上部及びキャップ１の構造を示す側断面図、（ｂ）は同状態においてカムの噛み合い部分を抜き出して示す側面図である。
【図７】図６の次の段階のボタン押し下げ状態を示す図であり、（ａ）はエアゾール容器１００の上部及びキャップ１の構造を示す側断面図、（ｂ）は同状態において、カムの噛み合い部分を抜き出して示す側面図である。
【図８】図７の次の段階の押し下げ位置での保持状態を示す図であり、（ａ）はエアゾール容器１００の上部及びキャップ１の構造を示す側断面図、（ｂ）は同状態において、カムの噛み合い部分を抜き出して示す側面図である。
【図９】図８の次の段階の解除のためのボタン押し下げ状態を示す図であり、（ａ）はエアゾール容器１００の上部及びキャップ１の構造を示す側断面図、（ｂ）は同状態において、カムの噛み合い部分を抜き出して示す側面図である。
【図１０】図６〜図９の各状態におけるカムの噛み合い部分だけを抜き出して示す動作説明図で、（ａ）は待機状態、（ｂ）はボタン押し下げ状態、（ｃ）は押し下げ位置での保持状態、（ｄ）は解除のためのボタン押し下げ状態をそれぞれ示す図である。
【符号の説明】
【００３８】
１  ボタン付きキャップ
１０  キャップ本体
１５  係合カム（係合手段）
１７  縦溝（係合手段）
２０  押圧ボタン
２１  カム歯（駆動手段）
３０  回転子（移動子）
３５  案内突起（係合手段）
３６  カム歯（駆動手段）
５０  リターンスプリング
１００  エアゾール容器
１２０  噴射バルブ
１２１  ステム
２００  ノック機構
２０１  駆動手段
２０２  係合手段
【図１】
2005152789.tif 000003
【図２】
2005152789.tif 000004
【図３】
2005152789.tif 000005
【図４】
2005152789.tif 000006
【図５】
2005152789.tif 000007
【図６】
2005152789.tif 000008
【図７】
2005152789.tif 000009
【図８】
2005152789.tif 000010
【図９】
2005152789.tif 000011
【図１０】
2005152789.tif 000012